(57)【要約】【課題】リール本体内のメンテナンスを容易に行うことができる小型化可能な魚釣用スピニングリールを提供すること。【解決手段】ハンドル３２を介してロータ６０を回転し、スプール５０に釣糸を巻回する魚釣用スピニングリール１０であって、リール本体１２は、ハンドル３２を支える軸受３６ａ，３６ｂの前方に突出する前部８０に、駆動機構２４で駆動される中空駆動軸２２を回転自在に支える支持部８０ａを形成し、ロータ６０は、この支持部８０ａと共に１２ｂの前部部位を受入れる凹部６２を後方に向けて開口させた周壁部６４を有し、この周壁部６４は、後方開口端に隣接した部位に、径方向開口部６３を有し、蓋体１２ｂをリールボディ１２ａに固定する固定ネジ１６を、この径方向開口部６３を介して、ロータ６０の側方に露出可能とする魚釣用スピニングリール。【選択図】    図８
2008295373.tif 000002
【特許請求の範囲】
【請求項１】
リールボディの側部開口を蓋体で閉塞したリール本体と、このリール本体で回転自在に支えられる釣糸巻回用ハンドルと、このリール本体の前部に回転自在に支えられるロータとを備え、前記ハンドルの回転をリール本体内に収容した駆動機構を介してロータに伝達し、このロータに設けた釣糸案内部を介して、リール本体の前部から前方に突出するスプール軸上のスプールに釣糸を巻回する魚釣用スピニングリールであって、
前記リール本体は、前記ハンドルを支えるハンドル装着部の前方に突出する前部に、前記駆動機構で駆動される駆動軸を回転自在に支える支持部を配置し、前記ロータは、前記支持部と共に前記蓋体の前部部位を受入れる凹部を後方に向けて開口させた周壁部を有し、この周壁部は、後方開口端に隣接した部位に、径方向開口部を有し、前記蓋体をリールボディに固定する固定部を、この径方向開口部を介して、ロータの側方に露出可能としたことを特徴とする魚釣用スピニングリール。
【発明の詳細な説明】
【技術分野】
【０００１】
本発明は、リール本体に設けたハンドルの回転操作で釣糸案内部を有するロータを回転駆動し、スプールに釣糸を巻回する魚釣用スピニングリールに関する。
【背景技術】
【０００２】
一般に、魚釣用スピニングリールでは、操作性および携帯性を向上するために小型化が望まれている。
【０００３】
このような要望から、剛性構造のリールボディとこのリールボディの側部開口を閉塞するボディカバーとからなるリール本体の前部で、ロータを回転するための駆動軸を回転自在に支え、このリール本体の前部を、ロータの後方に開口する凹部内に収容する状態に配置し、更に、ボディカバーの前端側をリールボディに締付け固定するネジをこの凹部内に配置することにより、前後方向長さを短くした魚釣用スピニングリールが開発されている（例えば特許文献１参照）。
【０００４】
この魚釣用スピニングリールでは、ロータの後方開口端と略同一平面内に配置されるフランジ部がリールボディおよびボディカバーから突出し、これらのフランジ部により、ロータの凹部内に水や塵埃等の異物が侵入するのを防止しており、ボディカバーの前部をリールボディに締付け固定するネジは、このフランジ部の前方に配置される。そして、リール本体の後部では、リールボディに形成した切欠き部をキャップで閉じ、このキャップを取外すことにより、スプール軸が後方に摺動子たときの摺動子にスプール軸を着脱することができるようになっている。
【特許文献１】特公平３−８１８２号公報
【発明の開示】
【発明が解決しようとする課題】
【０００５】
このような魚釣用スピニングリールの良好な巻取り駆動性能を維持するためには、釣行後あるいは定期的にボディカバーを取外して、ロータの駆動機構を収容するリール本体の内部を解放し、内部に侵入した異物を除去したり、劣化・固化したグリースや磨耗した部品を新しいものに取り換える等の点検整備を欠かすことができない。
【０００６】
そして、上述の魚釣用スピニングリールのリール本体の内部を解放するためには、予め、リールボディに形成した切欠き部を介して、スプールを先端に装着するスプール軸と摺動子とを分離し、更に、スプールおよびロータをリール本体から取外す一連の分解作業を行った後、ボディカバーをリールボディに締付け固定するネジを緩め、このボディカバーを取外す必要があり、リール本体内に配置した駆動機構に対するメンテナンス作業は極めて煩雑となる。
【０００７】
本発明は、このような事情に基づいてなされたもので、リール本体内に収容された駆動機構に対する注油、異物の除去あるいは部品交換等のメンテナンスを容易に行うことができる小型化可能な魚釣用スピニングリールを提供することを目的とする。
【課題を解決するための手段】
【０００８】
上記目的を達成する本発明の魚釣用スピニングリールは、リールボディの側部開口を蓋体で閉塞したリール本体と、このリール本体で回転自在に支えられる釣糸巻回用ハンドルと、このリール本体の前部に回転自在に支えられるロータとを備え、前記ハンドルの回転をリール本体内に収容した駆動機構を介してロータに伝達し、このロータに設けた釣糸案内部を介して、リール本体の前部から前方に突出するスプール軸上のスプールに釣糸を巻回する魚釣用スピニングリールであって、前記リール本体は、前記ハンドルを支えるハンドル装着部の前方に突出する前部に、前記駆動機構で駆動される駆動軸を回転自在に支える支持部を配置し、前記ロータは、前記支持部と共に前記蓋体の前部部位を受入れる凹部を後方に向けて開口させた周壁部を有し、この周壁部は、後方開口端に隣接した部位に、径方向開口部を有し、前記蓋体をリールボディに固定する固定部を、この径方向開口部を介して、ロータの側方に露出可能としたことを特徴とする。
【発明の効果】
【０００９】
このような魚釣用スピニングリールによると、駆動軸を回転自在に支える支持部と共に、蓋体の前部部位がロータの凹部内に配置されることにより、軸方向長さが短く形成され、更に、ロータの周壁部に形成した径方向開口部を介して、蓋体をリールボディに固定する固定部がロータの側方に露出することにより、このロータの径方向開口部を介して固定部で蓋体とリールボディとを分離し、スプールおよびロータを取外すことなく、リール本体内に収容された駆動機構に対するメンテナンスを容易に行うことができる。
【発明を実施するための最良の形態】
【００１０】
図１から図７は、本発明の好ましい実施形態による魚釣用スピニングリール１０を概略的に示す。
【００１１】
図１および図２に示すように、魚釣用スピニングリール１０は、剛性構造のリールボディ１２ａの側部開口１４ａを蓋体１２ｂで閉塞したリール本体１２を備え、本実施形態では、この蓋体１２ｂをリールボディ１２ａに固定する固定部に固定ネジ１６を用いており、この固定ネジ１６を取外すことで、内部空間Ｓを外部に露出させることができる。また、リールボディ１２ａの後端側には、切欠き１４ｂを形成し、この切欠き１４ｂを後部キャップ１８で閉じてあり、この後部キャップ１８の固定ネジ２０を取外すことにより、後端側でも内部空間Ｓを開閉することができる。このリール本体１２は、リールボディ１２ａから上方に延出する脚部１２ｃの端部に形成された竿取付部１２ｄを介して図示しない釣竿に取り付けられる。
【００１２】
リール本体１２内には、通常のスピニングリールと同様に、後述するロータを駆動するための中空駆動軸２２を回転駆動する駆動機構２４およびこの中空駆動軸２２内に挿通されたスプール軸２６をこの軸方向に沿って一定のストロークで前後方向に往復動する公知のオシレーティング機構２８が収容されており、このオシレーティング機構２８の摺動子２８ａが止めネジ３０でスプール軸２６の後端部に固定されている。これらの駆動機構２４およびオシレーティング機構２８は、一端にハンドル３２が連結されるハンドル軸３４により、互いに同期して作動される。
【００１３】
本実施形態のハンドル軸３４は中空構造を有し、それぞれリールボディ１２ａと蓋体１２ｂとに設けられた軸受３６ａ，３６ｂを介してリール本体１２で回転自在に支持されている。このハンドル軸３４には、後述する駆動歯車３４ａが一体に形成される。このハンドル軸３４の両端部には、雌ネジを形成してあり、一方の端部に、ハンドル３２に基端部を枢着ピン３８で枢着されたネジ部材４０の先端部が螺合することで装着される。したがって、ハンドル軸３４は軸受３６ａ，３６ｂと共にハンドル装着部を形成する。
【００１４】
このハンドル３２を装着するためのネジ部材４０は、スタンド部材４２に挿通されており、ハンドル３２を介してハンドル軸３４内に締付けられると、スタンド部材４２の内周側突条４２ａがハンドル軸３４の端面に当接し、ネジ部材４０の締付け力で、ハンドル３２およびスタンド部材４２をハンドル軸３４に強固に固定する。スタンド部材４２は、ハンドル３２をリール本体１２から離隔させ、後述するロータとの干渉を防止しつつ自由に回転可能とする。また、この内周側突条４２ａの外周側に配置した外周側突条４２ｂは、リール本体１２から突出する環状突起１３ａを僅かな間隙を介して囲み、リール本体１２の内部空間Ｓ内に異物が侵入するのを防止する。
【００１５】
このネジ部材４０を緩め、スタンド部材４２とハンドル３２との間に間隙を形成すると、枢着ピン３８を中心としてハンドル３２を回転し、持運びあるいは保管に便利な折り畳み状態とすることができる。この折り畳み状態からハンドル３２を介してネジ部材４０をハンドル軸３４内に締め込むとことで簡単に、釣糸巻取り状態に復帰させることができる。
【００１６】
また、ハンドル軸３４の反対側には、蓋体１２ｂに形成した環状突起１３ｂを囲む軸受キャップ４４を取り付けてあり、異物の侵入が防止されている。この軸受キャップ４４を取り外して、ハンドル３２およびスタンド部材４２を取付けることにより、ハンドル３２をリール本体１２の一側から他側に自由に付け換えることができる。いずれの場合も、釣糸巻回方向にネジ部材４０を締め付けることにより、ハンドル３２とハンドル軸３４とが一体化され、釣糸巻取り状態とすることができる。
【００１７】
リール本体１２の内部空間Ｓ内では、ハンドル軸３４と一体に形成された駆動歯車３４ａと共に駆動機構２４を形成するピニオン２２ａが、ハンドル軸３４と直交する方向に延設された中空駆動軸２２の外周部に形成されており、このピニオン２２ａは駆動歯車３４ａと常時噛合した状態に配置されている。このピニオン２２ａを形成した中空駆動軸２２は、ハンドル軸３４の軸受３６ａ，３６ｂを配置したハンドル装着部から前方に突出する前部内で前方に延び、ハンドル軸３４に近接した後端側を軸受４６ａを介してリール本体１２で支えられ、前方部位を、リール本体１２の前部内に配置した軸受４６ｂを介して支えられ、前端側がこの前部から突出し、リール本体１２に対して自由に回転することができる。この中空駆動軸２２は、軸方向に貫通する内孔内に、先端部にスプール４８を装着するスプール軸２６を前後方向に摺動自在に案内する。
【００１８】
このスプール軸２６は、中空駆動軸２２の先端側から突出する先端部に断面非円形部２６ａと、ネジ部２６ｂとを順に形成してあり、この断面非円形部２６ａにストッパ４８ａを介して装着されたスプール５０が、袋ナット状に形成した締付けネジ４８ｂにより、スプール軸２６の先端部に取外し可能に装着される。
【００１９】
本実施形態では、ストッパ４８ａは断面非円形部２６ａに対応した挿通孔を有する板状に形成してあり、この断面非円形部２６ａの後端部に回り止めされた状態で係止され、後方すなわちリール本体１２側への移動を阻止されている。そして、スプール５０は、円筒状あるいはテーパ状の周面を有する胴部５２の前後に、径方向外方に突出するフランジ部５２ａ，５２ｂを形成し、この胴部５２の前端側を閉じる前壁部５４の中央部から、後方の開口側に向けて、短軸部５６が突出する。
【００２０】
この短軸部５６には、断面非円形部２６ａに対応する断面形状を有する挿通孔が軸方向に貫通しており、この断面非円形部２６ａ上で回り止めされた状態でスプール軸２６に装着され、締め付けネジ４８ｂをネジ部２６ｂに締付けることにより、ストッパ４８ａに締付けられ、固定される。
【００２１】
また、短軸部５６が配置される前壁部５４には、短軸部５６を囲んで、多数の軸方向貫通孔５５を等間隔に形成してある（図３）。これらの貫通孔５５は、スプール５０を軽量化すると共に、魚釣り操作時の空気抵抗を小さくする構造に形成してあり、外方に開口する後端側には、釣糸が内部に入り込むのを防止するスカートあるいは内側フランジ部５８が形成される。なお、胴部５２に、周方向に沿って多数の凹溝を形成してもよく、この場合には、スプール５０に巻き取った釣糸が移動して緩むのを防止することができる。
【００２２】
このスプール５０をスプール軸２６に取付ける締付けネジ４８ｂは、釣糸が引っ掛かるのを防止するために、前壁部５４からの突出量をできる限り小さくし、また、その周部は可能な限り滑らかな外面で形成することが好ましい。
【００２３】
スプール５０に釣糸を巻回するロータ６０は、後方に向けて凹部６２を開口させた周壁部６４有し、前壁部６６に設けた筒状の駆動部６８を介して中空駆動軸２２に連結される。この駆動部６８を囲む周壁部６４には、後方開口端すなわちハンドル軸３４側の径方向に対向した部位で、一対の腕部７０，７０が径方向外方に突設されている。これらの腕部７０，７０は、ロータ６０の後方開口端から前方に向けてスプール軸２６の軸方向に沿って先細状に延び、周壁部６４との間に、スプール５０の胴部５２を受け入れる間隙を形成する。
【００２４】
これらの腕部７０，７０の先端部に取付けられたベール７２は、図１に示す釣糸巻取位置と図示しない釣糸放出位置との間を自在に反転することができる。このベール７２の一方の端部は、釣糸案内部７２ａを装着した支持脚７３を介して腕部７０に取り付けられ、図２に一部を概略的に示す振り分けバネ機構７４により、釣糸巻取位置と釣糸放出位置との一方に保持され、ハンドル３２を釣糸巻回方向に反転後、ベール７２を手動操作で釣糸巻取位置へ復帰させたり、図示しない反転復帰機構により、図１に示す釣糸巻取位置へ自動復帰される。
【００２５】
このロータ６０の前壁部６６には、駆動部６８の周部に沿って軸方向貫通孔６５が等間隔に形成してあり（図３）、この前壁部６６の外周部には、例えば、スプール５０の後方から内側に落込んだ釣糸のスプール軸への巻き込みを防止する薄肉構造の筒状のガードリング７６が前方に突出する状態で螺合、接着等の手段で取り付け固定されている。また、駆動部６８を囲む周壁部６４は、前端側を前壁部６６で閉じた円筒状部として形成してあり、軸方向の中間部位の屈曲部６４ａを挟んで、前方よりも後方側でより大きな角度で径方向外方に向けて拡径する。この周壁部６４の後方開口端に隣接する部位には、この周壁部６４を径方向に貫通する開口部６３が形成されており、この開口部６３は、周壁部６４の後方開口端から屈曲部６４ａを超えて前壁部６６側の位置まで、開口幅を狭めつつ軸方向に沿って延びる。
【００２６】
なお、ガードリング７６は、ロータ６０およびスプール５０のそれぞれの前壁部６６，５４に形成した貫通孔６５，５５を介する空気の流れを阻害しあるいは閉塞しないものであれば、適宜の形状に形成することが可能であり、その周部に、開口を設けても良い。また、ロータ６０に一体化することも可能である。
【００２７】
図４に最も良く示すように、本実施形態のロータ６０は、４つの径方向開口部６３が、周壁部６４の後方開口端に隣接した部位で径方向に対向させて形成してあり、各腕部７０にも周壁部６４の径方向開口部６３に対応した径方向開口部７１が形成してある。この腕部７０の径方向開口部７１は、周壁部６４の径方向開口部６３と径方向に整合した位置に配置されており、後方に向けて開口する。したがって、腕部７０に形成した径方向開口部７１は、周壁部６４の対応する径方向開口部６３と連続した開口部を形成する。これにより、いずれの径方向開口部６３，７１も、内部に配置したリール本体１２の前部８０を外部に大きく露出し、この径方向開口部６３，７１を介して、外部から例えば蓋体１２ｂの前部部位に位置する固定部の固定ネジ１６を締付けあるは取外すことができる。
【００２８】
一方、周壁部６４の腕部７０，７０間に形成された２つの径方向開口部６３の内の一方は、弧状の連結片６７をその後端部に設けてあり、この周壁部６４と一体形成される部位によって、ベール７２および釣糸案内部７２ａ等のアンバランス部材に対するバランス化を図り、ロータ６０を滑らかに回転させることができる。リール本体１２から突出する軸受キャップ４４及びハンドル軸３４に連結するスタンド部材４２を、リール本体１２の前部８０にフランジ部が形成されていないので、従来のような形状的な制約が少なくなり、ロータ６０の後端部の極近接する位置まで、ロータ６０の凹部６２内にリール本体１２の前部８０を挿入することが可能となり、魚釣用スピニングリール１０の軸方向寸法を可級的に短くすることができる。
【００２９】
このように形成されるロータ６０の凹部６２内に挿入されるリール本体１２の前部８０は、脚部１２ｃから前方に向けて、上下方向の寸法が次第に減少する。なお、本明細書中で、リール本体１２の前部８０は、特に限定した場合を除き、ハンドル装着部すなわちハンドル軸３４を支える軸受３６ａ，３６ｂを配した部位よりもロータ６０側の前部に配置されるリールボディ１２ａおよび蓋体１２ｂの部分を指す。したがって、これらの軸受３６ａ，３６ｂと上下方向にほぼ整合した位置に配置される脚部１２ｃ、ハンドル軸３４、スタンド部材４２および軸受キャップ４４は、この前部８０に含まれない。
【００３０】
図２に示すように、このリール本体１２の前部８０内では、中空駆動軸２２のピニオン２２ａよりも前方部位が、断面非円形の外面形状を有してロータ６０の駆動部材６８を回り止め嵌合する作動部２２ｂとして形成してあり、この作動部２２ｂの後端部に、前側軸受４６ｂであるボール軸受が装着される。
【００３１】
更に、図５および図６に示すように、この筒状の前部８０内では、軸受４６ｂの前方にスペーサ８２を介して一方向クラッチ８４を装着し、押え板８６とリテーナ８８との間に介挿したシール部材９０をリールボディ１２ａの先端面に固定する止めネジ９２により、前方に抜出るのを防止している。これらの軸受４６ｂおよび一方向クラッチ８４は、リールボディ１２ａの内面側に形成された段部で、外周側後端部を係止し、後方への移動を阻止しされる。したがって、前部８０の先端部すなわち軸受４６ｂおよび一方向クラッチ８４を収容する部位は、前部８０内で、中空駆動軸２２を軸方向移動を阻止しつつ回転自在に支える支持部８０ａを形成する。
【００３２】
なお、この前部８０に配置された一方向クラッチ８４は、リール本体の後端部に配置した操作レバーＬ（図１参照）を切換操作することにより、釣糸繰り出し方向への中空駆動軸２２、つまりロータ６０の逆回転を阻止する逆転防止位置と、正回転および逆回転を許容する規制解除位置とに自由に切換えることができる。
【００３３】
図５および図６に示すように、シール部材９０は、環状のリテーナ８８で押圧される環状の基部９０ａの内周側から前方かつ半径方向内方に向けて傾斜した状態に延びるリップ部９０ｂを有する環状の板状に形成されている。このリップ部９０ｂは、先端すなわち内周側に向けて肉厚が次第に減少し、内周縁部は丸められている。これにより、リップ部９０ｂがどの位置にあっても、相手方のロータ６０の駆動部６８の外周面に損傷を与えることなくわずかに内周が拡開変形して弾性的にシール係合する。これにより、前部８０の内部が密封される。
【００３４】
図５に示すように、このシール部材９０が駆動部６８の周囲すなわち外周面に摺接係合する駆動部６８の外径６８ａは、外部の圧力で内方に湾曲してシール効果が低下するのを防止するため、駆動部６８の前方側外径６８ｂより段部６８ｃを介して小径に形成されている。また、このシール部材９０は駆動部６８の外周面との間に好適なシール効果を形成するものであれば適宜材料の弾性材で形成することができるが、ゴム製の材料で形成することが好ましい。いずれの場合も、シール部材９０は、径方向開口部６３よりも前壁部６６側に配置し、スプール５０が前方に移動した場合であっても、径方向開口部６３を介して外部に露出させないことが好ましい。
【００３５】
図７は、リール本体１２からスプール５０およびロータ６０を分離した状態を示す。
【００３６】
組立てる場合は、図７の（Ｃ）に示すリール本体１２の前部８０に設けた支持部８０ａを、（Ｂ）に示すロータ６０の後方に開口する凹部６２内に挿入する。そして、支持部８０ａから突出する中空駆動軸２２の作動部２２ｂに、ロータ６０の凹部６２内に突出する駆動部６８を装着し、この駆動部６８の外周にシール部材９０のリップ部９０ｂをシール係合させ、締付けナット９４（図２参照）を作動部２２ｂの先端に形成したネジ部（図示せず）に螺合する。この締付けナット９４を締め込むことにより、駆動部６８の後端面でスペーサ８２の先端面を押圧させ、ロータ６０と中空駆動軸２２とを一体的に結合する。ロータ６０を中空駆動軸２２の作動部２２ｂに固定した後、ガードリング７６を前壁部６６の外周部に螺合等により装着する。
【００３７】
この後、ストッパ４８ａをスプール軸２６の断面非円形部に装着し、（Ａ）に示すスプール５０を、後端側開口部から、ロータ６０のガードリング７６および周壁部６４を受入れつつ、周壁部６４と腕部７０との間の間隙内に胴部５２を挿入し、短軸部５６をストッパ４８ａに当接させ、ネジ部２６ｂに締付けネジ４８ｂを締付け、このスプールをスプール軸２６に固定することで、魚釣用スピニングリール１０の組立てが完了する。
【００３８】
組立てを完了した魚釣用スピニングリール１０は、ロータ６０の後方に開口する凹部６２内に配置された駆動部６８が、リール本体１２内の駆動機構２４で駆動される中空駆動軸２２に一体的に連結され、この駆動部６８の周囲と、中空駆動軸２２を回転自在に支える前部８０の支持部８０ａとの間に配置されたシール部材９０が、リール本体１２の前部８０内を密封することにより、異物の侵入する隙間がなくなり、リール本体１２の前部８０の防水および防塵が確実に図られる。このシール部材９０は、周壁部６４で囲まれていることにより、スプール５０が最も前方に移動した場合であっても、確実に保護される。
【００３９】
図８は、このように組立てた状態の魚釣用スピニングリール１０をメンテナンスする際の状態を示す。
【００４０】
リール本体１２の内部空間Ｓを開く場合は、まず、後部キャップ１８を固定する固定ネジ２０を取外し、後部キャップ１８をリールボディ１２ａから取外す。そして、スプール５０およびロータ６０をリール本体１２に取付けたまま、ロータ６０の径方向開口部６３，７１を、蓋体１２ｂの前部部位でリールボディ１２ａに固定する固定部に重ねて配置し、径方向開口部６３，７１を介して外方に露出する。本実施形態では、この固定部が固定ネジ１６で形成してあり、この径方向開口部６３，７１を介して差し入れたドライバ等により、固定ネジ１６を抜き出す。ロータ６０の周壁部６４が、特に後端側で拡径しているためリール本体１２とロータ６０の周壁部６４との間に、蓋体１２ｂをハンドル軸３４から抜き出すのに充分な間隙が形成される。
【００４１】
蓋体１２ｂを、リールボディ１２ａから図８の２点鎖線で図示するように、容易に取外すことができ、これにより、側部開口１４ａおよび後端側の切欠き１４ｂが大きく開口し、内部空間Ｓを外部に露出する。反対側では、ハンドル軸３４からネジ部材４０を抜き出し、ハンドル３２およびスタンド部材４２を外すことにより、駆動歯車３４ａと共にハンドル軸３４および軸受３６ａ，３６ｂをリール本体１２から抜き出すことができる。
【００４２】
この後、大きく露出した内部空間Ｓ内の古いグリースを除去し、異物がある場合はこれを取り除き、部品を交換し、駆動機構２４およびオシレート機構２８の整備を行うことができる。そして、再度ハンドル軸３４および軸受３６ａ，３６ｂ等の取外した部品を元の位置に戻して必要箇所に注油した後、リールボディ１２ａに蓋体１２ａを取付け、固定し、後部キャップ１８を固定する。この蓋体１２ａの前部の固定部の取り付けも、ロータ６０の径方向開口部６３，７１を介して固定ネジ１６を螺合して行うことができる。
【００４３】
この魚釣用スピニングリール１０によると、中空駆動軸２２を回転自在に支える支持部８０ａと共に、蓋体１２ｂの前部部位がロータ６０の凹部６２内に配置されることにより、軸方向長さが短く形成され、更に、ロータ６０の周壁部６４および腕部７０に形成した径方向開口部６３，７１を介して、蓋体１２ｂをリールボディ１２ａに固定する固定部である固定ネジ１６がロータ６０の側方に露出することにより、このロータ６０の径方向開口部６３，７０を介して固定ネジ１６で蓋体１２ｂとリールボディ１２ａとを分離し、スプール５０およびロータ６０を取外すことなく、リール本体１２内に収容された駆動機構２４に対するメンテナンスを容易に行うことができる。
【００４４】
前記リール本体１２の前部８のフランジレス構造に加えて、更に、ロータ６０の周壁部６４が後方開口端側で拡径していることにより、リール本体１２の前部８０をハンドル軸３４に近接する位置まで凹部６２内に配置した場合であっても、リール本体の側部に突設する、例えば蓋体１２ｂに取付けられる軸受キャップ４４の外周部がロータ６０と干渉することがなく、したがって、軸方向寸法を短く形成することができる。また、ロータ６０の周壁部６４および腕部７０に径方向開口部６３，７１が形成され、更に、前壁部６６には貫通孔６５が形成されていることにより、ロータ６０が軽量化され、小さな力でも効率よく回転することができる。また、スプール５０の前壁部５４に形成した貫通孔５５も軽量化を促進する。
【００４５】
更に、ロータ６０の後方に開口する凹部６２内に配置された駆動部６８が、リール本体１２内の駆動機構２４で駆動される中空駆動軸２２に一体的に連結され、この駆動部６８の周囲と、中空駆動軸２２を回転自在に支える前部８０の支持部８０ａとの間に配置されたシール部材９０が、リール本体１２の前部８０内を密封することにより、異物の侵入する隙間がなくなり、リール本体１２の前部８０の防水および防塵が確実に図られる。これにより、このロータ６０の凹部６２の後方開口端を閉塞するための従来のフランジ部をリール本体１２に設ける必要がなく、リール本体１２の前部８０をフランジレス構造に形成し、魚釣用スピニングリールの軽量・小型化が可能となる。
【００４６】
更に、ロータ６０の凹部６２内に浸入した海水、砂、塵埃等の異物は、外部から例えばシャワー等で洗浄し、径方向開口部６３，７１および貫通孔５５，６５を介して洗い流すことができると共に、通気性も良くなり、内部に水分、異物等の滞留もなくなり、腐食の誘発や機能部材の作動不良を防止できる。
【００４７】
更に、リール本体１２の前部８０が上述のようにフランジレス構造に形成されると共に、ロータ６０の前壁部６６に貫通孔６５が形成され、スプール５０の前壁部にも貫通孔５０が形成されることにより、例えば釣竿と共に勢いよく振り下ろしながら釣糸放出操作を行う際、リール本体１２の後部側から前方側に向く空気抵抗を受ける場合であっても、ロータ６０の後方開口端から凹部６２内に侵入した空気がこれらの貫通孔６５，５５を介して外部に流出することができ、空気抵抗が小さくかつ軽量・小型化が可能となり、特に、ルアーの飛距離を競う投げ専用リールとして極めて優れた釣糸放出操作性を発揮することができる。
【図面の簡単な説明】
【００４８】
【図１】本発明の好ましい実施形態による魚釣用スピニングリールの側面図。
【図２】図１のＩＩ−ＩＩ線に沿う断面図。
【図３】図１のＩＩＩ−ＩＩＩ線の方向から見た図。
【図４】図１の魚釣用スピニングリールのロータの斜視図。
【図５】図２の円ＩＶで囲んだ部分の拡大図。
【図６】図１の魚釣用スピニングリールのリール本体の前部に配置したシール部材を示す断面図。
【図７】図１の魚釣用スピニングリールを分解した状態を示し、（Ａ）はスプールの側面図、（Ｂ）はロータの側面図、（Ｃ）はリール本体の側面図。
【図８】リール本体の内部空間を解放する際の説明図。
【符号の説明】
【００４９】
１０…魚釣用スピニングリール、１２…リール本体、１２ａ…リールボディ、１２ｂ…蓋体、１４ａ…側部開口、１６…固定ネジ（固定部）、２２…中空駆動軸、２４…駆動機構、３２…ハンドル、５０…スプール、６０…ロータ、６２…凹部、６３…径方向開口部、６４…周壁部、８０…前部、８０ａ…支持部。
【図１】
2008295373.tif 000003
【図２】
2008295373.tif 000004
【図３】
2008295373.tif 000005
【図４】
2008295373.tif 000006
【図５】
2008295373.tif 000007
【図６】
2008295373.tif 000008
【図７】
2008295373.tif 000009
【図８】
2008295373.tif 000010